(57)【要約】【課題】  カメラモジュール装置の小型化を図りつつ組立作業を簡素化する上で有利なカメラモジュール装置の生産方法およびその方法に用いられるシールドケースを提供する。【解決手段】  鏡筒２２の各係合凸部２２０８が各係合孔部３２０８に係合されることで前ケース３２にカメラモジュール２０が装着される。後ケース３４を前ケース３２の後方に臨ませ前ケース３２を後ケース３４に近づけると、前ケース３２の３つの側面部３２０６の後縁が後ケース３４の３つ案内板部３４０８に当接されるので、前ケース３２が後ケース３４の側面部３４０４の内側に容易に位置決めされ円滑に案内される。各係合凸部３２１０が各係合孔部３４０６に係合され前ケース３２に後ケース３４が装着される。案内板部３４０８を切取り部３４０９の部分から切り取られ、後ケース３４から取り除かれる。【選択図】        図７
2005086341.tif 000002
【特許請求の範囲】
【請求項１】
レンズと、該レンズを保持する鏡筒と、前記レンズの後方に配設され前記レンズで結像された被写体像を撮像して撮像信号を出力する撮像素子と、前記撮像素子から出力される撮像信号を入力して所定の信号処理を行なう信号処理部とを有するカメラモジュールと、前記カメラモジュールを収容し該カメラモジュールを電磁遮蔽するシールドケースとを備えたカメラモジュール装置の生産方法であって、
前記シールドケースを前ケースと後ケースとの２つの分割体で構成し、
前記前ケースを、前記鏡筒露出用の開口を有する前面部と、前記前面部の外縁から後方に向けて起立した側面部とで後方に開放状に形成し、
前記後ケースを、前記前面部に対向する後面部と、前記後面部の外縁から前方に向けて起立しその内側に前記前ケースの側面部が嵌合可能に挿入される側面部と、前記側面部の前縁から前方かつ斜め外側に向けて起立し前記前ケースが前記後ケースに挿入される際に前記前ケースの側面部を前記後ケースの内部に導く前記前縁から切取り可能な案内板部とで前方に開放状に形成し、
前記鏡筒を前記開口に位置させて前記前ケースをカメラモジュールに装着し、
前記カメラモジュールが装着された前記前ケースを前記案内板部で案内させつつ前記後ケースに挿入し、前記前ケースの側面部と前記後ケースの側面部とを嵌合させるとともに前記カメラモジュールを前記前ケースと後ケースとで形成される空間に収容し、
前記収容した後、前記案内板部を前記側面部の前縁から切り取るようにした、
ことを特徴とするカメラモジュール装置の生産方法。
【請求項２】
前記後ケースの後面部と該後面部に臨む前記カメラモジュールの部分との間に間隙を形成し、かつ、前記前ケースの前面部と該前面部に臨む前記カメラモジュールの部分との間に間隙を形成するようにしたことを特徴とする請求項１記載のカメラモジュール装置の生産方法。
【請求項３】
前記カメラモジュールは、前記後ケースの内側に収容可能な大きさで形成された矩形板状のホルダを有し、前記鏡筒の後部と前記撮像素子を前記ホルダの前面部に取着し、前記信号処理部を前記ホルダの後面部に取着するようにしたことを特徴とする請求項１記載のカメラモジュール装置の生産方法。
【請求項４】
レンズと、該レンズを保持する鏡筒と、前記レンズの後方に配設され前記レンズで結像された被写体像を撮像して撮像信号を出力する撮像素子と、前記撮像素子から出力される撮像信号を入力して所定の信号処理を行なう信号処理部とを有するカメラモジュールを、電磁遮蔽した状態で収容するシールドケース構成用のケースであって、
前記シールドケースは前ケースと後ケースとの２つの分割体で構成され、
前記前ケースは、前記鏡筒露出用の開口を有する前面部と、前記前面部の外縁から後方に向けて起立し前記鏡筒を前記開口に位置させて前記カメラモジュールの前半部が収容される側面部とで形成され、
前記後ケースは、前記前面部に対向する後面部と、前記後面部の外縁から前方に向けて起立しその内側に前記前ケースの側面部が嵌合可能に挿入され前ケースの側面部を覆うとともに前記カメラモジュールが収容される側面部と、前記側面部の前縁から前方かつ斜め外側に向けて起立し前記前ケースが前記後ケースに挿入される際に前記前ケースの側面部を前記後ケースの内部に導く案内板部とで前方に開放状に形成され、
前記案内板部と前記側面部の前縁との境の部分には、前記案内板部を前記前縁から切り取るための切取り部が設けられている、
ことを特徴とするカメラモジュールのシールドケース構成用ケース。
【請求項５】
前記前ケースの側面部と後ケースの側面部との嵌合は、前記前ケースまたは後ケースのうちの一方の側面部に設けられた係合凸部が、他方の側面部に設けられた係合孔部に結合することでされることを特徴とする請求項４記載のカメラモジュールのシールドケース構成用ケース。
【請求項６】
前記前ケースの側面部には、該前ケースの内側に前記カメラモジュールを挿入した際に前記カメラモジュールに対して嵌合する嵌合部が設けられていることを特徴とする請求項４記載のカメラモジュールのシールドケース構成用ケース。
【発明の詳細な説明】
【技術分野】
【０００１】
本発明はカメラモジュール装置の生産方法およびその方法に用いられるシールドケースに関する。
【背景技術】
【０００２】
近年、撮像装置が組み込まれた携帯電話機、あるいはＰＤＡ（Ｐｅｒｓｏｎａｌ  Ｄｉｇｉｔａｌ  Ａｓｓｉｓｔａｎｔｓ）などの携帯情報端末が提供されている。
撮像装置は、レンズ、該レンズを保持する鏡筒、レンズで結像された被写体像を撮像して撮像信号を出力する撮像素子、撮像素子からの撮像信号を入力して信号処理を行なう信号処理部などから構成されたカメラモジュールを有している。
そして、携帯情報端末の小型化に伴ってカメラモジュールに対する小型化の要求も高まっており、小型化を図る上で有利なカメラモジュールが提案されている（例えば、特許文献１、２参照）。
【特許文献１】特開２００２−２４６６１８号公報
【特許文献２】特開２００３−１７２８５９号公報
【発明の開示】
【発明が解決しようとする課題】
【０００３】
このようなカメラモジュールを携帯電話機や通信機能付きの携帯情報端末に組み込んだ場合、カメラモジュールから発生する不要輻射が携帯電話機や携帯情報端末の通信機能を阻害したり、あるいは、携帯電話機や携帯情報端末の通信に伴って発生する不要輻射がカメラモジュールの機能を阻害することが懸念される。したがって、このような不要輻射を効果的に防止するため、カメラモジュールをシールドケースで電磁遮蔽することが必要となる。
しかしながら、カメラモジュールの小型化に伴いシールドケースも小型化されるため、カメラモジュールのシールドケースへの組み込み作業が困難となっており、その改善策が求められていた。
本発明はこのような事情に鑑みなされたものであり、本発明の目的はカメラモジュール装置の小型化を図りつつ組立作業を簡素化する上で有利なカメラモジュール装置の生産方法およびその方法に用いられるシールドケースを提供することにある。
【課題を解決するための手段】
【０００４】
上述の目的を達成するため、本発明のカメラモジュール装置の生産方法は、レンズと、該レンズを保持する鏡筒と、前記レンズの後方に配設され前記レンズで結像された被写体像を撮像して撮像信号を出力する撮像素子と、前記撮像素子から出力される撮像信号を入力して所定の信号処理を行なう信号処理部とを有するカメラモジュールと、前記カメラモジュールを収容し該カメラモジュールを電磁遮蔽するシールドケースとを備えたカメラモジュール装置の生産方法であって、前記シールドケースを前ケースと後ケースとの２つの分割体で構成し、前記前ケースを、前記鏡筒露出用の開口を有する前面部と、前記前面部の外縁から後方に向けて起立した側面部とで後方に開放状に形成し、前記後ケースを、前記前面部に対向する後面部と、前記後面部の外縁から前方に向けて起立しその内側に前記前ケースの側面部が嵌合可能に挿入される側面部と、前記側面部の前縁から前方かつ斜め外側に向けて起立し前記前ケースが前記後ケースに挿入される際に前記前ケースの側面部を前記後ケースの内部に導く前記前縁から切取り可能な案内板部とで前方に開放状に形成し、前記鏡筒を前記開口に位置させて前記前ケースをカメラモジュールに装着し、前記カメラモジュールが装着された前記前ケースを前記案内板部で案内させつつ前記後ケースに挿入し、前記前ケースの側面部と前記後ケースの側面部とを嵌合させるとともに前記カメラモジュールを前記前ケースと後ケースとで形成される空間に収容し、前記収容した後、前記案内板部を前記側面部の前縁から切り取るようにしたことを特徴とする。
また、本発明のシールドケース構成用のケースは、レンズと、該レンズを保持する鏡筒と、前記レンズの後方に配設され前記レンズで結像された被写体像を撮像して撮像信号を出力する撮像素子と、前記撮像素子から出力される撮像信号を入力して所定の信号処理を行なう信号処理部とを有するカメラモジュールを、電磁遮蔽した状態で収容するシールドケース構成用のケースであって、前記シールドケースは前ケースと後ケースとの２つの分割体で構成され、前記前ケースは、前記鏡筒露出用の開口を有する前面部と、前記前面部の外縁から後方に向けて起立し前記鏡筒を前記開口に位置させて前記カメラモジュールの前半部が収容される側面部とで形成され、前記後ケースは、前記前面部に対向する後面部と、前記後面部の外縁から前方に向けて起立しその内側に前記前ケースの側面部が嵌合可能に挿入され前ケースの側面部を覆うとともに前記カメラモジュールが収容される側面部と、前記側面部の前縁から前方かつ斜め外側に向けて起立し前記前ケースが前記後ケースに挿入される際に前記前ケースの側面部を前記後ケースの内部に導く案内板部とで前方に開放状に形成され、前記案内板部と前記側面部の前縁との境の部分には、前記案内板部を前記前縁から切り取るための切取り部が設けられていることを特徴とする。
【発明の効果】
【０００５】
そのため、本発明によれば、後ケースの側面部の前縁に、前ケースが後ケースに挿入される際に前ケースを後ケースの内部に導く案内板部を設けたので、カメラモジュール装置の寸法が小さい場合であっても、前ケースを後ケースに対して容易に位置決めして前ケースを後ケースに容易に嵌合させることができ、カメラモジュール装置の小型化を図りつつ組立作業を簡素化する上で有利となる。
また、前ケースの側面部と後ケースの側面部とを嵌合させた後、案内板部を側面部の前縁から取り除くようにしたので、完成されたカメラモジュール装置の見栄えもよく、また、シールドケースが大きなスペースを占有することもなく、カメラモジュール装置の小型化を図る上で有利となる。
【発明を実施するための最良の形態】
【０００６】
カメラモジュール装置の小型化を図りつつ組立作業を簡素化するという目的を、シールドケースを前ケースと後ケースとの２つの分割体で構成し後ケースに前ケースを案内する案内板を設けることによって実現した。
【実施例１】
【０００７】
次に本発明の実施例１について図面を参照して説明する。
図１は撮像装置が組み込まれた携帯電話機の一例を示す外観図である。
図１に示すように携帯電話機１００は、ヒンジ部１０１によって揺動可能に連結された２つのケース１０２、１０４を有し、一方のケース１０２の表面にはレンズ窓１０６が設けられ、該レンズ窓１０６の内側に撮像装置１０８が組み込まれている。
図２は撮像装置１０８を構成するカメラモジュール装置１０の斜視図、図３は図２のＡＡ線断面図、図４は図２のＢ矢視図、図５は図２のＣ矢視図、図６は図２の横断面図である。
図２、図３に示すように、カメラモジュール装置１０は、カメラモジュール２０と、該カメラモジュール２０を収容保持して電磁遮蔽するシールドケース３０とを備え、本実施例ではカメラモジュール装置１０に本発明が適用されている。
カメラモジュール２０は、レンズ２１、鏡筒２２、撮像素子２３、信号処理部２４、ホルダ２５などを備えている。
レンズ２１は、前レンズ２１Ａと後レンズ２１Ｂの２つのレンズで構成されている。
鏡筒２２は、前レンズ２１Ａ、後レンズ２１Ｂを収容保持する円筒部２２０２と、円筒部２２０２の後部に接続された矩形板状の前壁２２０４と、前壁２２０４の４辺から後方に向けて起立された４つの側壁２２０６とを有している。
図４に示すように、４つの側壁２２０６のうち対向する２つの側壁２２０６の外面には、該側壁２２０６の延在方向の両端に２つの係合凸部２２０８が突設されている。
【０００８】
ホルダ２５は矩形板状に構成され鏡筒２２の後方に配設されており、レンズ２１に臨む前面側には矩形状の凹部が形成され、該凹部の底面にＣＣＤやＣＭＯＳセンサからなる撮像素子２３が収容保持され、これらＣＣＤやＣＭＯＳセンサは前記凹部に組み込まれた透明なシールガラス２７で覆われている。撮像素子２３は、レンズ２１で結像された被写体像を撮像して撮像信号を出力するように構成されている。
ホルダ２５には、シールガラス２７の周囲から膨出する矩形段部が設けられ、この矩形段部の前面にフレキシブル基板の矩形環状部２６０２が接着固定されている。前記矩形環状部２６０２の外周部の一側には、ホルダ２５の外方に向かって延在する延出部２６０４が設けられ、該延出部２６０４には外部回路に接続されるコネクタ２６０６が実装されている。
また、フレキシブル基板２６の矩形環状部２６０２の前面には鏡筒２２の側壁２２０６の後端が接着され、これにより鏡筒２２とホルダ２５が一体的に固定されている。
信号処理部２４は、撮像素子２３から出力される前記撮像信号を入力して所定の信号処理を行なうＤＳＰ（デジタルシグナルプロセッサ）などから構成され、矩形板状を呈しホルダ２５の後面に接着固定されている。
ホルダ２５にはその厚さ方向に貫通する複数の導通部（不図示）が設けられており、撮像素子２３と信号処理部２４との間、および、信号処理部２４とフレキシブル基板２６との間は、前記導通部を介して接続され、これにより撮像素子２３、信号処理部２４およびフレキシブル基板２６の間で信号の授受がなされるように構成されている。
【０００９】
次に、シールドケース３０について詳細に説明する。
図７はカメラモジュール装置１０の分解斜視図、図８（Ａ）は前ケース３２の平面図、（Ｂ）は（Ａ）のＢ矢視図、（Ｃ）は（Ａ）のＣ矢視図、（Ｄ）は（Ａ）のＤ矢視図である。図９（Ａ）は前ケース３２の底面図、（Ｂ）は（Ａ）のＢ矢視図である。
図７に示すように、シールドケース３０は前ケース３２と後ケース３４との２つの分割体で構成され、本実施例では前ケース３２、後ケース３４はアルミニウムなどの導電性を有する材料から形成されている。
図７、図８、図９に示すように、前ケース３２は、鏡筒２２の円筒部２２０２露出用の開口３２０４を有する矩形板状の前面部３２０２と、前面部３２０２の外縁から後方に向けて起立した４つの側面部３２０６とで後方に開放状に形成されている。
前ケース３２の４つの側面部３２０６のうち対向する２つの側面部３２０６の外面のそれぞれには嵌合部を構成する２つの係合孔部３２０８がそれぞれ形成されている。これら２つの係合孔部３２０８は、前ケース３２の開口３２０４に鏡筒２２の円筒部２２０２を位置させつつ前ケース３２の内側にカメラモジュール１０を挿入した際に該カメラモジュール１０の側壁２２０６の２つの係合凸部２２０８に嵌合され、これによりカメラモジュール１０が前ケース３２に装着されるように設けられている。
本実施例では、カメラモジュール１０の係合凸部２２０８に前ケース３２の係合孔部３２０８が嵌合された状態で、前ケース３２の前面部３２０２の後面と鏡筒２２の前壁２２０４との間に隙間が形成されるように構成されている。
また、前ケース３２の４つの側面部３２０６のうち、係合孔部３２０８が設けられていない２つの側面部３２０６には、該側面部３２０６の延在方向の両端に２つの係合凸部３２１０が設けられている。
【００１０】
図１０（Ａ）は後ケース３４の平面図、（Ｂ）は（Ａ）のＢ矢視図、（Ｃ）は（Ａ）のＣ矢視図、（Ｄ）は（Ａ）のＤ矢視図である。図１１（Ａ）は後ケース３４の底面図、（Ｂ）は（Ａ）のＢ矢視図である。
後ケース３４は、前面部３２０２に対向する後面部３４０２と、後面部３４０２の外縁から前方に向けて起立しその内側に前記前ケース３２の４つの側面部３２０４が嵌合可能に挿入される４つの側面部３４０４と、４つの側面部３４０４のうちの３つの側面部３４０４に設けられた３つの案内板部３４０８とを有し、前方に開放状に形成されている。
後ケース３４の４つの側面部３４０４のうち、２つの側面部３４０４には、該２つの側面部３４０４の内側に前ケース３２の側面部３２０４を挿入した際に前ケース３２の係合凸部３２０８に結合される２つの係合孔部３４０６がそれぞれ形成されている。
したがって、前ケース３２の側面部３２０４と後ケース３４の側面部３２０４との嵌合は、前ケース３２の係合凸部３２０８が後ケース３４の係合孔部３４０６に結合することでなされる。
また、後ケース３４の４つの側面部３４０４のうち、係合孔部３４０６が設けられていない２つの側面部３４０４の一方は、図７、図１０に示すように、その前端が外側下方に折り返された側面部３４０４Ａとして形成されている。
これにより図２に示すように、前ケース３２と後ケース３４を嵌合させた状態で、前ケース３２の側面部３２０４の後方と後ケース３４の側面部３４０４Ａの前方との間に開口３００２が形成され、フレキシブル基板２６の延出部２６０４はこの開口３００２を通ってシールドケース３０の外方に導出される。なお、側面部３４０４Ａの前縁は折り曲げられ前方に丸く形成されているので、延出部２６０４が側面部３４０４Ａの前縁に接触しても延出部２６０４に傷を付けることが防止されている。
なお、シールドケース３０は、後ケース３４の側面部３４０４の内側に前ケース３２の側面部３２０４を挿入した際に、側面部３４０４Ａを除く３つの側面部３４０４の内面と、これら３つの側面部３４０４に面した前ケース３２の３つの側面部３２の外面とが接触し、これにより前ケース３２と後ケース３４は互いに電気的に導通し、シールドケース３０の内部に収容されたカメラモジュール１０が確実に電磁遮蔽されるように構成されている。
そして、図３に示すように、前ケース３２に後ケース３４が嵌合されることでカメラモジュール１０は、シールドケース３０内部に収容保持され、この状態で後ケース３４の後面部３４０２と該前面部３４０２に臨むカメラモジュール１０の部分、すなわち信号処理部２４との間には間隙が形成されるように構成されている。
【００１１】
図７、図１０、図１１に示すように、案内板部３２０８は、側面部３４０４Ａを除く３つの側面部３４０４の前端に設けられており、側面部３４０４の幅方向に間隔をおいた２箇所から起立する２つの脚片部３４０８Ａと、各脚片部３４０８Ａの前端を連結し側面部３４０４の前縁と平行に延在する連結片部３４０８Ｂとから構成され、これら２つの脚片部３４０８Ａの間と連結片部３４０８Ｂと側面部３４０４の前縁との間にほぼ矩形の開口部３４０８Ｃが形成されている。
なお、本実施例では、２つの脚片部３４０８Ａは前ケース３２の２つの係合凸部３２１０に当接可能な箇所に設けられている。
案内板部３４０８は、前ケース３２が後ケース３４に挿入される際に前ケース３２の側面部３２０６を後ケース３４の内部に導くように形成され、より詳細には脚片部３４０８Ａは側面部３２０６の前縁から延在するに従って側面部３２０６の外側に次第に離れるように傾斜して設けられている。
図１２に示すように、各案内板部３４０８と側面部３４０４の前縁との境の部分、より詳しくは脚片部３４０８Ａと側面部３４０４の前縁との境の部分には、案内板部３４０８を前縁から切り取り易くするための切取り部３４０９が設けられ、切取り部３４０９は、例えば、肉厚を薄くした部分が直線状に延在することで形成されている。
【００１２】
次に、カメラモジュール装置１０の組立について説明する。
まず、前ケース３２にカメラモジュール２０を装着する。
すなわち、図７に示すように、鏡筒２２の円筒部２２０２を前ケース３２の後方から開口３２０４に臨ませるとともに、鏡筒２２の各係合凸部２２０８を前ケース３２の各係合孔部３２０８に臨ませる。
この状態で、鏡筒２２を前ケース３２の内側に挿入し、円筒部２２０２を開口３２０４内に位置させるとともに、前ケース３２の前面部３２０２の後面に鏡筒２２の前壁２２０４を臨ませる。
これにより、円筒部２２０２が開口３２０４に位置した状態で、各係合凸部２２０８が各係合孔部３２０８に係合され、前ケース３２の前面部３２０２の後面と鏡筒２２の前壁２２０４との間に隙間が形成された状態で前ケース３２にカメラモジュール２０が装着される。
本実施例では、鏡筒２２の前壁２２０４に両面テープ４０を貼り付けて鏡筒２２を前ケース３２の内側に挿入し、両面テープ４０を介して前面部３２０２の後面と鏡筒２２の前壁２２０４とを接着しており、前ケース３２のカメラモジュール１０に対する取付強度を高めている。なお、両面テープ４０の厚さは前記隙間と同じ寸法のものが用いられている。
【００１３】
次に、カメラモジュール２０が装着された前ケース３２に後ケース３４を装着する。
すなわち、後ケース３４を側面部３４０４Ａの前縁がフレキシブル基板２６の延出部２６０４に臨む向きで前ケース３２およびカメラモジュール２０の後方に臨ませる。
この状態で、前ケース３２を後ケース３４に近づけると、前ケース３２の３つの側面部３２０６の後縁が後ケース３４の３つ案内板部３４０８に当接されるので、前ケース３２が後ケース３４の側面部３４０４の内側に容易に位置決めされ円滑に案内される。
そして、前ケース３２を後ケース３４の内側に挿入していくと、今度は前ケース３２の各係合凸部３２１０が各案内板部３４０８の脚片部３４０８Ａに当接され各側面部３４０４の内側に円滑に案内される。
そして、前ケース３２を後ケース３４に向けてさらに挿入させると、フレキシブル基板２６の延出部２６０４が開口３００２内に位置した状態で、各係合凸部３２１０が各係合孔部３４０６に係合され、後ケース３４の後面部３４０２と該後面部３４０２に臨むカメラモジュール１０の部分との間に間隙が確保された状態で前ケース３２に後ケース３４が装着される。
これにより、図２に示すようにカメラモジュール２０が前カバー３２と後カバー３４とで形成される空間に収容される。
次に、図１２（Ａ）、図１３に示すように、ケース３４の３つの案内板部３４０８を外側に倒すと、あるいは、外側と内側とにわたって繰り返して揺動させると、図１２（Ｂ）に示すように、各案内板部３４０８は切取り部３４０９の部分から容易に切り取られ、後ケース３４から取り除かれる。
これにより、図２に示すようにカメラモジュール装置１０が完成する。
【００１４】
以上説明したように本実施例によれば、後ケース３４の側面部３４０４の前縁に、前ケース３２が後ケース３４に挿入される際に前ケース３２を後ケース３４の内部に導く案内板部３４０８を設けたので、カメラモジュール装置１０の寸法が小さい場合であっても、前ケース３２を後ケース３４に対して容易に位置決めして前ケース３２を後ケース３４に容易に嵌合させることができ、カメラモジュール装置１０の小型化を図りつつ組立作業を簡素化する上で有利となる。
また、前ケース３２の側面部３２０６と後ケース３４の側面部３４０４とを嵌合させた後、案内板部３４０８を側面部３４０４の前縁から取り除くようにしたので、完成されたカメラモジュール装置１０の見栄えもよく、また、シールドケース３０が大きなスペースを占有することもなく、カメラモジュール装置１０の小型化を図る上で有利となる。
また、本実施例では、カメラモジュール２０がシールドケース３０に収容された状態で、前ケース３２の前面部３２０２の後面と鏡筒２２の前壁２２０４との間に隙間が形成されとともに、後ケース３４の後面部３４０２と該前面部３４０２に臨むカメラモジュール１０の部分との間に間隙が形成されている。したがって、前ケース３２の前面部３２０２や後ケース３４の後面部３４０２に外力が作用して前ケース３２や後ケース３４の部分が若干変形したとしてもカメラモジュール１０に直接力が加わらないため、カメラモジュール１０の位置や姿勢がずれることを防止でき、カメラモジュール１０の光学的特性の安定化を図る上で有利となる。
【００１５】
なお、本発明のカメラモジュール装置の生産方法およびその方法に用いられるシールドケース構成用ケースは、携帯電話機に組み込まれた撮像装置を構成するカメラモジュール装置に限定されるものではなく、例えば、ＰＤＡ、ノート型パーソナルコンピュータなどの携帯情報端末に組み込まれる撮像装置、あるいは、デジタルスチルカメラ、ビデオカメラなどの種々の撮像装置を構成するカメラモジュール装置に広く適用可能である。
【図面の簡単な説明】
【００１６】
【図１】撮像装置が組み込まれた携帯電話機の一例を示す外観図である。
【図２】撮像装置１０８を構成するカメラモジュール装置１０の斜視図である。
【図３】図２のＡＡ線断面図である。
【図４】図２のＢ矢視図である。
【図５】図２のＣ矢視図である。
【図６】図２の横断面図である。
【図７】カメラモジュール装置１０の分解斜視図である。
【図８】前ケース３２の説明図である。
【図９】前ケース３２の説明図である。
【図１０】後ケース３４の説明図である。
【図１１】後ケース３４の説明図である。
【図１２】案内板部の説明図である。
【図１３】カメラモジュール装置から案内板部を切り取った状態を示す説明図である。
【符号の説明】
【００１７】
１０……カメラモジュール装置、２０……カメラモジュール、２１……レンズ、２２……鏡筒、２３……撮像素子、３０……シールドケース、３２……前ケース、３２０２……前面部、３２０４……開口、３２０６……側面部、３４……後ケース、３４０２……後面部、３４０４……側面部、３４０８……案内板部、３４０９……切取り部。
【図１】
2005086341.tif 000003
【図２】
2005086341.tif 000004
【図３】
2005086341.tif 000005
【図４】
2005086341.tif 000006
【図５】
2005086341.tif 000007
【図６】
2005086341.tif 000008
【図７】
2005086341.tif 000009
【図８】
2005086341.tif 000010
【図９】
2005086341.tif 000011
【図１０】
2005086341.tif 000012
【図１１】
2005086341.tif 000013
【図１２】
2005086341.tif 000014
【図１３】
2005086341.tif 000015